(57)【特許請求の範囲】
【請求項１】
蓋部がキャップ本体の一側の外周面にヒンジを介して接続し、使用するときに、プルリングにより前記キャップ本体の注出筒内を封鎖する封鎖板を開口し、分別回収するときに、分別用つまみにより前記キャップ本体の天板と周壁を破断して分離する打栓式プラスチックキャップにおいて、前記キャップ本体の天板下面に設けたボトルの口頸部の上面と密接するコンタクト封止リングの外側に、ボトルの口頸部の上端外周面に下端部内周面を圧接する押えリングを設け、かつ前記キャップ本体の周壁の下端内周面に設けた咬合リングの上方の内周面に、ボトルの口頸部の外周面に設けられた咬合リングの上端部外周面に上方内周面を圧接する傾斜面を設けることで、外圧により薄肉脆弱線が損傷するなどにより液漏れが発生しないことを特徴とする易分別回収打栓式プラスチックキャップ。
【請求項２】
前記ボトルの口頸部の上端外周面に圧接する前記キャップ本体の押えリングの下端部内周面の内径を、前記キャップ本体の押えリングの下端部内周面に圧接する前記ボトルの口頸部の上端外周面の外径よりも０．１〜０．４ｍｍだけ大きくし、かつ前記キャップ本体の押えリングの高さを、前記キャップ本体のコンタクト封止リングの高さよりも０．２ｍｍ以上高くしたことを特徴とする請求項１記載の易分別回収打栓式プラスチックキャップ。
【請求項３】
ボトルの口頸部の外周面に設けられた咬合リングの上端部外周面に圧接する前記キャップ本体の内周面の傾斜面の内径を、前記キャップ本体の内周面の傾斜面と圧接する前記ボトルの口頸部の咬合リングの上端部外周面の外径よりも０．１〜０．４ｍｍだけ小さくしたことを特徴とする請求項１又は請求項２記載の易分別回収打栓式プラスチックキャップ。
【請求項４】
前記キャップ本体の天板外周縁部に設ける分別回収するときに分別用つまみにより破断する薄肉脆弱線の厚みを０．４〜０．５ｍｍにし、かつ薄肉脆弱線を設ける角度をほぼ２４０°にしたことを特徴とする請求項１乃至請求項３いずれかに記載の易分別回収打栓式プラスチックキャップ。
【発明の詳細な説明】
【０００１】
【発明の属する技術分野】
本発明は、使用後に分別回収するときに、分別用つまみによりキャップ本体の天板と周壁を破断して分離する易分別回収打栓式プラスチックキャップに関するもであり、詳しくは、温度に起因する液漏れを改善した易分別回収打栓式プラスチックキャップに関するものである。
【０００２】
【従来の技術】
従来、液体内容物を充填したプラスチックボトルには、流通時の安全性の確保や使用時のし易さから、蓋部がキャップ本体にヒンジで接続し、使用時にプルリングで注出筒の内側の封鎖板の環状薄肉脆弱線を破断して開口し、使用後の分別回収時に分別用つまみによりキャップ本体の天板と周壁を破断してキャップをボトルから分離する易分別回収打栓式プラスチックキャップが使用されていた。
【０００３】
【発明が解決しようとする課題】
しかしながら、上述の従来の図４に示す易分別回収打栓式プラスチックキャップ（１０）は、液体内容物を充填したプラスチックボトル、例えばＰＥＴボトルの口頸部（２１）に打栓して装着され、４０℃の高温状態に長期間（３日以上）曝されたときや内容物が７５℃以上の高温充填されて自然放冷されたときに、ボトル（２０）の口頸部（２１）の口内径が大きくなってキャップ本体（１００）のインナー封止リング（１１３）との嵌合シロが小さくなり、ボトルに外圧がかかると内容物が漏れることがあった。
【０００４】
本発明は、上述の従来の易分別回収打栓式プラスチックキャップの問題を解決したものであり、４０℃の高温状態に長期間曝されても又は内容物が７５℃以上の高温充填されても、外圧により液漏れを発生しない易分別回収打栓式プラスチックキャップを提供するものである。
【０００５】
【課題を解決するための手段】
すなわち、本発明の第１の発明は、蓋部がキャップ本体の一側の外周面にヒンジを介して接続し、使用するときに、プルリングにより前記キャップ本体の注出筒内を封鎖する封鎖板を開口し、分別回収するときに、分別用つまみにより前記キャップ本体の天板と周壁を破断して分離する打栓式プラスチックキャップにおいて、前記キャップ本体の天板下面に設けたボトルの口頸部の上面と密接するコンタクト封止リングの外側に、ボトルの口頸部の上端外周面に下端部内周面を圧接する押えリングを設け、かつ前記キャップ本体の周壁の下端内周面に設けた咬合リングの上方の内周面に、ボトルの口頸部の外周面に設けられた咬合リングの上端部外周面に上方内周面を圧接する傾斜面を設けることで、外圧により薄肉脆弱線が損傷するなどにより液漏れが発生しないことを特徴とする易分別回収打栓式プラスチックキャップである。
【０００８】
次に、本発明の第２の発明は、前記ボトルの口頸部の上端外周面に圧接する前記キャップ本体の押えリングの下端部内周面の内径を、前記キャップ本体の押えリングの下端部内周面に圧接する前記ボトルの口頸部の上端外周面の外径よりも０．１〜０．４ｍｍだけ大きくし、かつ前記キャップ本体の押えリングの高さを、前記キャップ本体のコンタクト封止リングの高さよりも０．２ｍｍ以上高くしたことを特徴とする第１の発明に記載の易分別回収打栓式プラスチックキャップである。
【０００９】
次に、本発明の第３の発明は、ボトルの口頸部の外周面に設けられた咬合リングの上端部外周面に圧接する前記キャップ本体の内周面の傾斜面の内径を、前記キャップ本体の内周面の傾斜面と圧接する前記ボトルの口頸部の咬合リングの上端部外周面の外径よりも０．１〜０．４ｍｍだけ小さくしたことを特徴とする第１の発明又は第２の発明に記載の記載の易分別回収打栓式プラスチックキャップである。
【００１０】
そして、本発明の第４の発明は、前記キャップ本体の天板外周縁部に設ける分別回収するときに分別用つまみにより破断する薄肉脆弱線の厚みを０．４〜０．５ｍｍにし、かつ薄肉脆弱線を設ける角度をほぼ２４０°にしたことを特徴とする第１の発明乃至第３の発明のいずれかに記載の易分別回収打栓式プラスチックキャップである。
【００１１】
【発明の実施の形態】
本発明の実施の形態の易分別回収打栓式プラスチックキャップ（１０）は、図１に示すように、蓋部（２００）がキャップ本体（１００）の周壁（１１０）の一側の外周面に、ヒンジ（図示せず）を介して接続するキャップであり、蓋部は、周壁（２２０）の下端部の内周面に、キャップ本体の天板（１１０）上に設けた咬合筒（１３０）と咬合して嵌着する咬合リング（２２１）を設け、キャップ本体と接続するヒンジと対向側の周壁の下端部の外周面に開閉つまみ（２２２）を突設するものであり、キャップ本体（１００）は、周壁（１２０）の下端部の内周面に、ボトル（２０）の口頸部（２１）の外周面に設けられている咬合リング（２２）と咬合して嵌着する咬合リング（１２１）を設け、周壁の上端内周面には、蓋部の咬合リング（２２１）と咬合して嵌着する咬合筒（１３０）を上面に立設し、その内側に注出筒（１４０）と設けた天板を連設し、その注出筒の内側下端を封鎖板（１５０）を設けて封鎖し、この封鎖板の開口予定位置に、任意の形状の環状の薄肉脆弱線（１５２）を対向面から切込み（１５１）を設けて形成し、この環状の薄肉脆弱線の内側近傍の上面の一側に、先端に通常では環状のプルリング（１５４）をもつ支柱（図示せず）を立設し、天板下面には、通常、ボトルの口頸部の天面と密接してボトルを封止するコンタクト封止リング（１１２）と容器口頸部の内周面に密接して容器を封止するインナー封止リング（１１３）とを設けるものである。また、キャップ本体（１００）は、図３に示すように、周壁（１２０）の上端部外周面に、分別用つまみ（１６０）を突設し、周壁の分別用つまみの根元部のａ位置から傾斜して下端に至る薄肉脆弱線（図示せず）を外周面側に形成し、また、分別用つまみの根元部のａ位置から周壁（１２０）に並行させてｂ位置まで天板（１１０）の外周縁部の上面側に薄肉脆弱線（１１４）を形成するキャップである。そして、使用するときには、開閉つまみで蓋部を開き、注出筒内に収容されているプルリングを指で上方に引っ張って、注出筒内を封鎖する封鎖板の環状の薄肉脆弱線を破断して開口するものであり、使用後に廃棄処理するためにキャップをボトルの口頸部から分別回収するときには、周壁の上端部外周面に設けられた分別用つまみを周壁に沿って外側に引っ張って、周壁に設けられている傾斜して下端に至る薄肉脆弱線と天板の外周縁部に設けられている薄肉脆弱線を破断させて、ボトルの口頸部からキャップを取り外すものである。なお、本発明のキャップは、ポリエチレンなどの熱可塑性樹脂を用いて、射出成形法により作製するものである。
【００１４】
そして、本発明の一実施形態の易分別回収打栓式プラスチックキャップ（１０）は、図１及び図２に示すように、キャップ本体（１００）の天板（１１０）下面に設けたコンタクト封止リング（１１２）の外側に、ボトル（２０）の口頸部（２１）の上端外周面に下端部内周面を圧接する押えリング（１１１）を設け、かつキャップ本体の周壁（１２０）の下端内周面に設けた咬合リング（１２１）の上方の内周面に、ボトルの口頸部の外周面に設けられた咬合リング（２２）の上端部外周面に上方内周面を圧接する傾斜面（１２２）を設けるものである。
【００１５】
なお、ボトルの口頸部の外周面に設けられた咬合リングの上端部外周面に圧接するキャップ本体の内周面の傾斜面の内径は、キャップ本体の内周面の傾斜面と圧接するボトルの口頸部の咬合リングの上端部外周面の外径よりも０．１〜０．４ｍｍだけ小さくするものである。０．１ｍｍよりも小さいと圧接力が小さく液漏れが生じ易く、０．４ｍｍより大きいと圧接力が過度となり、破損や打栓不良を生じることがある。また、キャップ本体の押えリングの高さは、キャップ本体のコンタクト封止リングの高さよりも０．２ｍｍ以上高くするものである。０．２ｍｍ以下では、押えリングの押え力が不足する。
【００１６】
また、キャップ本体の天板外周縁部に設ける分別回収するときに分別用つまみにより破断する薄肉脆弱線の厚みは、０．４〜０．５ｍｍにし、また、薄肉脆弱線を設ける角度（図３に示すａ位置からｂ位置まで）をほぼ２４０°にするものである。厚みが０．４ｍｍより薄いと、熱によりボトルの口頸部の口内径が大きくなったときに、剛性力の不足から伸びてしまうことがあり、０．５ｍｍよりも厚いと、分別回収するときに薄肉脆弱線が破断しにくくなる。また、角度が２４０°より小さくなるに連れ、キャップをボトルから取り外しにくくなり、角度が２４０°より大きくなるに連れ、剛性力が不足する。
【００１７】
上述した本発明の実施形態の易分別回収打栓式プラスチックキャップは、キャップ本体に、ボトルの口頸部の上端外周面に下端部内周面を圧接する押えリング、ボトルの口頸部の外周面に設けられた咬合リングの上端部外周面に上方内周面を圧接する傾斜面、または、押えリングと傾斜面の両方が設けられており、キャップ本体の天板外周縁部に設ける分別回収用の薄肉脆弱線の厚みと角度が規制されているため、内容物を高温充填して自然放冷するプラスチックボトルに使用しても、また、流通過程で４０℃の高温状態に長期間曝されても、ボトルの加圧によりキャップから内容物が液漏れすることがない。
【００１８】
【発明の効果】
本発明の易分別回収打栓式プラスチックキャップは、キャップ本体に蓋部が開閉可能に装着し、使用時にプルリングにより封鎖板を開口して開封し、使用後に分別用つまみにより天板や周壁を破断してプラスチックボトルの口頸部から容易に取り外せるものであり、しかも、キャップ本体の天板下面に設けられる押えリングや周壁内周面に設けられた傾斜面の効果により、流通や保管時に４０℃の高温状態に長期間曝されても又は内容物が７５℃以上の高温充填されても、ボトルの加圧により液漏れを発生することがないキャップである。
【図面の簡単な説明】
【図１】本発明の一実施形態の易分別回収打栓式プラスチックキャップを、プラスチックボトルの口頸部に装着したときの断面図である。
【図２】図１の易分別回収打栓式プラスチックキャップのキャップ本体の要部を示す拡大断面図である。
【図３】図１の易分別回収打栓式プラスチックキャップのキャップ本体の構造を示す説明図である。
【図４】従来の一例の易分別回収打栓式プラスチックキャップを、プラスチックボトルの口頸部に装着したときの断面図である。
【符号の説明】
１０……プラスチックキャップ
２０……プラスチックボトル
２１……口頸部
２２，１２１，１３１，２２１……咬合リング
１００……キャップ本体
１１０，２１０……天板
１１１……押えリング
１１２……コンタクト封止リング
１１３，２１１……インナー封止リング
１１４，１２３，１５２……薄肉脆弱線
１２０，２２０……周壁
１２２……押え傾斜面
１３０……咬合筒
１４０……注出筒
１５０……封鎖板
１５１……切込み
１５４……プルリング
１６０……分別用つまみ
２００……蓋部
２２２……開閉つまみ
【図１】
0004154892.tif 000002
【図２】
0004154892.tif 000003
【図３】
0004154892.tif 000004
【図４】
0004154892.tif 000005